(57)【要約】【課題】本発明は、圧縮空気を使用した設備において、設備内の配管数を減少させることが可能なマルチノズル装置の提供を課題とする。【解決手段】概略矩形ブロック形の装置本体２と、装置本体２の長手方向に伸びて形成された流路であって、該流路の一端側４およびその反対側５の双方より圧縮空気が導入されうる一の圧縮空気流路３と、装置本体２の長手方向に並んで形成された複数のノズル取付け孔６と、各々のノズル８の内部と一の圧縮空気流路３とをそれぞれ連通する複数の連絡流路７と、複数のノズル８の内部にそれぞれ交換可能に装備された、ノズル８内を流通する流体の圧力を変更し得る複数の流体圧調節部材８ｂとを備えてなることを特徴とするマルチノズル装置１。【選択図】図１
2004344855.tif 000002
【特許請求の範囲】
【請求項１】
概略矩形ブロック形の装置本体と、
該装置本体の長手方向に伸びて形成された流路であって、該流路の一端側およびその反対側の双方より圧縮空気が導入されうる一の圧縮空気流路と、
該装置本体の長手方向に並んで形成された複数のノズル取付け孔と、
複数の該ノズル取付け孔にそれぞれ着脱可能に固定された複数のノズルと、
各々の該ノズルの内部と前記一の圧縮空気流路とをそれぞれ連通する複数の連絡流路と、
複数の前記ノズルの内部にそれぞれ交換可能に装備された、ノズル内を流通する流体の圧力を変更し得る複数の流体圧調節部材とを備えてなることを特徴とするマルチノズル装置。
【請求項２】
流路の端部が前記ノズルの内部に臨み、圧縮空気以外の他の流体を前記ノズル内に導入しうるように、他流体の流路をさらに形成してなることを特徴とする請求項１記載のマルチノズル装置。
【発明の詳細な説明】
【０００１】
【発明の属する技術分野】
本発明は、圧縮空気を使用する設備において利用され、該空気の複数の供給系設備の省スペース化に寄与するところのマルチノズル装置に関する。
【０００２】
【従来の技術】
従来、自動車及びその他工業製品の塗装に利用されるエアースプレー塗装設備においては、一般に数多くの塗装ガンを配備し、圧縮空気を使用して、それら塗装ガンから塗料を噴射することにより、塗装を行なっている。この場合、圧縮空気源から塗装ガンに供給される圧縮空気の圧力を、製品用途、塗料の種類、塗装箇所等に適した圧力に適宜調節する必要があるため、圧縮空気源から塗装ガンまでの圧縮空気配管の適当な箇所に、空気圧の調節ノズルを各配管ごとに一個ずつ接続するという方法が通常採られてきた。なお、住宅の分野においても、塗装工場と同様の配管構成からなる、圧縮空気配管系が提案されている。（例えば、特許文献１参照）
【０００３】
【特許文献１】
特開２００１−２５４５０５［第１−６頁］
【０００４】
しかしながら、上述のような圧縮空気を使用する設備では、多色塗装を可能とする要求等により、塗装ガン等の圧縮空気を使用する装置を増やすと、その分だけ圧縮空気源からの圧縮空気給送用の配管の数も多くなるため、全体として設備内の配管数が多くなり、また配管のレイアウトが複雑になり、設備内に、広い配管用スペースが必要になるという問題がある。
【０００５】
【本発明が解決しようとする課題】
本発明は、かかる従来の事情を考慮してなされたものであって、その課題とするところは、圧縮空気の給送圧の調節のための複数のノズルを一の装置にユニット化することによって、圧縮空気を使用した設備における、圧縮空気の配管数を減少させることが可能なマルチノズル装置を提供することにある。
【０００６】
【課題を解決するための手段】
本発明は、前記課題を解決するために、工夫されたものであって、より詳しくは、概略矩形ブロック形の装置本体と、
該装置本体の長手方向に伸びて形成された流路であって、該流路の一端側およびその反対側の双方より圧縮空気が導入されうる一の圧縮空気流路と、
該装置本体の長手方向に並んで形成された複数のノズル取付け孔と、
複数の該ノズル取付け孔にそれぞれ着脱可能に固定された複数のノズルと、
各々の該ノズルの内部と前記一の圧縮空気流路とをそれぞれ連通する複数の連絡流路と、
複数の前記ノズルの内部にそれぞれ交換可能に装備された、ノズル内を流通する流体の圧力を調節し得る複数の流体圧調節部材とを備えてなることを特徴とするマルチノズル装置に関する。
【０００７】
また本発明の好ましい態様は、流路の端部が前記ノズルの内部に臨み、圧縮空気以外の他の流体を前記ノズル内に導入しうるように、他流体の流路をさらに形成してなることを特徴とするマルチノズル装置に関する。
【０００８】
本発明のマルチノズル装置は、複数の空気圧調節ノズルを一の構造体にユニット化するために、概略矩形ブロック形の装置本体に複数のノズルを固定している。この装置本体の内部に、圧縮空気源からの圧縮空気が給送されるようにするべく、装置本体の一端側からその反対端側にわたって貫通させて一つの圧縮空気流路を形成した。更に、圧縮空気流路に給送された圧縮空気が、ノズルの内部に導入されるように、各々のノズルと一本の圧縮空気流路とを各々連通する複数の連絡流路を形成した。また、該圧縮空気流路における空気の給送圧力は、マルチノズル装置の一端側の給送口より遠ざかれば遠ざかる程より低下する。そこで複数のノズル内に給送される圧縮空気の圧力をほぼ均一にするために、該圧縮空気流路の一端側およびその反対端側の双方より圧縮空気が導入される構成とした。さらに、ノズルから噴出される圧縮空気の圧力を容易に調節できるように、ノズルの内部には交換可能な流体圧調節部材を装備させ、かつノズル自体もまた、装置本体からの着脱を可能にした。
【０００９】
【発明の実施の形態】
以下、本発明を図面を参照してより具体的に説明する。図１は、本発明のマルチノズル装置の１つの態様を示す斜視図である。図２は、圧縮空気の給送配管に接続した図１のマルチノズル装置を示す（マルチノズル装置は断面で示す。）。図３は、図２のａ−ａ線における断面図である。
【００１０】
図１に示すように本発明のマルチノズル装置１は、概略矩形ブロック形の装置本体２の一側面に４個のノズル８・・・を固定した装置である。
【００１１】
装置本体２の内部には、一端側４からその反対端側５にわたって貫通した一つの圧縮空気流路３が形成されている。また、装置本体２の一側面にはノズル８に対応する形状の４つのノズル取付け孔６・・・が長手方向に並んで形成されている。この各々のノズル取付け孔６・・・の内面は螺子切されている。また装置本体２の内部には、各々のノズル取付け孔６・・・と一本の圧縮空気流路３とがそれぞれ連通するように４つの連絡流路７・・・が形成されている。
【００１２】
ノズル８は、その外面が螺子切された円筒状のノズル本体８ａと、ノズル本体８ａの内部に装備された円筒状の流体圧調節部材８ｂから構成される。この部材８ｂは、テーパ状の内周面８ｃを有し、これにより絞り形状の流路を形成してなる。流体圧調節部材８ｂは、その外径がノズル本体８ａの内径と一致し、本体８ａに挿入固定される構造となっているため、部材８ｂを引き出して、新しい部材８ｂを挿入するという作業を為すことにより容易に交換することができる。
【００１３】
ノズル８自体は、ノズル取付け孔６に螺着されているので、これを取り付け孔６より取外して新しいノズル８を螺着することで、容易にその交換をなし得る。
【００１４】
図２に示すように、図１のマルチノズル装置１の圧縮空気流路３の一端側４およびその反対側５には、それぞれ圧縮空気の給送配管９・が接続されている。
【００１５】
而して、圧縮空気源からの圧縮空気は、二本の配管９・を通して、装置本体２の一端側４及びその反対端側５の双方から一本の圧縮空気流路３に導入され、さらに連絡流路７・・・を通して各々のノズル８・・・の内部に導入される。ノズル８内に導入された圧縮空気は、この流体圧調節部材８ｂの流路の絞りによって、噴射圧力を調節されて噴射される。
【００１６】
前記態様によれば、圧縮空気流路３の一端側４およびその反対側６に、圧縮空気を給送する配管９・を２本接続するだけで、４個のノズル８・・・に圧縮空気を導入することができるので、圧縮空気源からの配管を、ノズル内に給送する側において、まとめることができ、設備内の配管数を減少させることができる。
【００１７】
さらに、本発明のマルチノズル装置１では、圧縮空気は、装置本体２の一端側４およびその反対側５の双方から導入されるため、各々のノズル８・・・に導入される圧縮空気の圧力はほぼ均一になるという効果がある。
【００１８】
またノズル８・・・内に備えられている流体圧調節部材８ｂ・・・は、容易に取外し可能であり、かつノズル８・・・も、ノズル取付け孔６・・・に着脱可能に固定されているので、装置本体２からノズル８を取外し、ノズル８内の流体圧調節部材８ｂを流路の絞りの異なる流体圧調節部材８ｂに交換することによって、ノズル８から噴射される圧縮空気の圧力を容易に調節することができる。
【００１９】
更に、他流体の流路１０を、その端部がノズル８の内部に臨むように形成されているので、圧縮空気以外の他の流体（塗料等）を、ノズル８内に導入し得る。
【００２０】
この場合、ノズル８内の圧力が下がり、吸引力が発生しているので、他の流体を、圧縮空気と一緒に噴射することができる。
【００２１】
【発明の効果】
以上説明したように、本発明のマルチノズル装置によれば、圧縮空気配管をノズル内に給送する側において、配管をまとめることができ、設備内の配管数を減少させることができる。さらに各ノズルにもほぼ均一な圧力で圧縮空気を導入することができる。また、ノズルから噴射される圧縮空気の圧力を容易に調節することができる。加えて、装置本体の内部に、圧縮空気以外の他の流体をノズル内に導入しうるよう流路を形成することにより、ノズルから他の流体も、圧縮空気と一緒に噴射することができるという効果も得られる。
【図面の簡単な説明】
【図１】本発明のマルチノズル装置の１つの態様を示す斜視図である。
【図２】図１のマルチノズル装置に圧縮空気の給送配管を接続した図であって、マルチノズル装置を断面で示した図である。
【図３】図２のａ−ａ線における断面図である。
【符号の説明】
１．マルチノズル装置  ２．装置本体  ３．圧縮空気流路  ４．一端側
５．反対側  ６．ノズル取付け孔  ７．連絡流路  ８．ノズル  ８ａ．ノズル本体  ８ｂ．流体圧調節部材  ８ｃ．テーパ状の内周面  ９．圧縮空気を給送する配管  １０．他流体の流路
【図１】
2004344855.tif 000003
【図２】
2004344855.tif 000004
【図３】
2004344855.tif 000005